(57)【特許請求の範囲】
【請求項１】
活線作業が行われている作業部位を雨から防ぐための作業用防雨具であって、
作業部位の上方に配置されたグランドワイヤに第１固定手段を介して取り付けられる棒形状の本体部と、
前記本体部に取り付けられ、先端が斜め下方に延びる複数本の棒形状の骨組部材と、
前記複数本の骨組部材および前記本体部の上面に接して張られ、第２固定手段を介して取り付けられるシート部と、を備えることを特徴とする作業用防雨具。
【請求項２】
前記第１固定手段は、前記本体部の両端部にそれぞれ一体形成されたバインド用突起部と、バインドと、を備え、
前記バインド用突起部に前記バインドの巻き始め部分を引っ掛けた後、前記バインドのらせん部分を前記グランドワイヤに巻き付けることで、前記グランドワイヤに前記本体部を取り付けることを特徴とする請求項１に記載の作業用防雨具。
【請求項３】
前記第２固定手段は、前記複数本の骨組部材または前記本体部の上面にそれぞれ一体形成されたシート用突起部と、ピンと、を備え、
前記シート用突起部に、前記シート部の予め開けられている孔を嵌め込んだ後、前記シート用突起部の予め開けられているピン孔に前記ピンを差し込むことで、前記シート部を張ることを特徴とする請求項１または請求項２に記載の作業用防雨具。
【請求項４】
前記本体部は、側周面に前記骨組部材の取付側の先端部を嵌合させる嵌合突起部を備え、
前記骨組部材の取付側の先端部を前記嵌合突起部に嵌合させることで、前記本体部に前記骨組部材を取り付けることを特徴とする請求項１乃至請求項３の何れか１項に記載の作業用防雨具。
【請求項５】
前記骨組部材は、連結部材を介して前記本体部から両翼に延びる２本の骨組部材が一体成形され、
前記本体部は、上周面に、前記骨組部材の連結部材の形状に合致した切り欠き部を備え、
前記本体部の切り欠き部に前記骨組部材の連結部材を嵌め込んだ後、ボルトで固定することで、前記本体部に前記骨組部材を取り付けることを特徴とする請求項１乃至請求項３の何れか１項に記載の作業用防雨具。
【請求項６】
前記骨組部材の取付側の先端部近傍、或いは、前記骨組部材の連結部材近傍に、該骨組部材の傾斜角度を調整する傾斜角度可変機構を備えることを特徴とする請求項４または請求項５に記載の作業用防雨具。
【請求項７】
前記骨組部材は、下面側に前記作業部位を照らす光源を備えることを特徴とする請求項１乃至請求項６の何れか１項に記載の作業用防雨具。
【請求項８】
前記シート部は、透光性素材または遮光性素材で形成されることを特徴とする請求項１乃至請求項７の何れか１項に記載の作業用防雨具。
【請求項９】
作業部位の上方に配置されたグランドワイヤに第１固定手段を介して取り付けられる棒形状の本体部と、
前記本体部に取り付けられ、先端が斜め下方に延びる複数本の棒形状の骨組部材と、
前記複数本の骨組部材および前記本体部の上面に接して張られ、第２固定手段を介して取り付けられるシート部と、を備える作業用防雨具の取付方法であって、
前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、
前記本体部の側周面の嵌合突起部に、前記骨組部材の取付側の先端部を嵌合させて、前記本体部に前記骨組部材を取り付ける骨組部材取付工程と、
前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程と、
を備えることを特徴とする作業用防雨具の取付方法。
【請求項１０】
作業部位の上方に配置されたグランドワイヤに第１固定手段を介して取り付けられる棒形状の本体部と、
前記本体部に取り付けられ、先端が斜め下方に延びる複数本の棒形状の骨組部材と、
前記複数本の骨組部材および前記本体部の上面に接して張られ、第２固定手段を介して取り付けられるシート部と、を備える作業用防雨具の取付方法であって、
前記本体部の両端部にそれぞれ一体形成されたバインド用突起部に、バインドの巻き始め部分を引っ掛けた後、該バインド用突起部にバインドのらせん部分を前記グランドワイヤに巻き付けて、前記グランドワイヤに前記本体部を取り付ける第１固定工程と、
連結部材を介して前記本体部から両翼に延びる２本の骨組部材を一体成形した連結骨組部材を、前記本体部の上周面の切り欠き部に嵌め込んだ後、ボルトで固定することで、前記本体部に前記骨組部材を取り付ける骨組部材取付工程と、
前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程と、
を備えることを特徴とする作業用防雨具の取付方法。
【発明の詳細な説明】
【技術分野】
【０００１】
この発明は、作業用防雨具および作業用防雨具の取付方法に関し、特に、突然の降雨に対しても活線作業の作業効率を損なうことなく、空間的に広い防御範囲で作業者の安全性を確保し得る作業用防雨具および作業用防雨具の取付方法に関する。
【背景技術】
【０００２】
従来，充電している高圧電線等を扱う直接活線作業および間接活線作業においては、感電の危険性が高まるため降雨時の作業が禁止されている。小雨であれば活線作業等を実施できることもあるが、作業できる程度の雨量かの現場判断が難しいという事情がある。また、突然の降雨（豪雨）により感電する危険性があり、さらに、突然の降雨（豪雨）による作業中断により，停電時間の延長、作業計画の変更、作業車設置延長による通行支障等が発生する。
【０００３】
特許文献１では、高圧充電部との閃絡が生ずる危険距離まで接近したことを注意喚起し、充電部との接触による感電を防止することを目的とした安全用機器が提案されている。この安全用機器は、配電線に引っかけるための引き掛け部が先端に設けられた傘状の機器であり、雨傘および日傘としても機能することが開示されている。
【０００４】
また、特許文献２では、架設される電気設備に対して高所作業車のバケット内で作業する際に、電気設備が通電している状態においても使用することができる日除け器具が提案されている。この日除け器具は、遮光部と、遮光部を支持するアームとを備えており、バケットに搭乗している作業者を日差しから防ぐだけでなく、風雨からも防ぐことが開示されている。
【先行技術文献】
【特許文献】
【０００５】
【特許文献１】特開２００９−２６８２１３号公報
【特許文献２】特開２０１１−１０９８４７号公報
【発明の概要】
【発明が解決しようとする課題】
【０００６】
上記のように、特許文献１では感電防止が主目的であって、雨傘／日傘としての機能は副次的なものであるため、雨や日差しから作業者を守るという観点からは、空間的な防御範囲が狭いという問題がある。また、安全用機器の設置場所が活線作業を行う作業部位に近すぎて、作業効率が低下するという事情もある。
【０００７】
また、特許文献２では、バケットに取り付けられる日除け器具であるため、遮光部が小型の形状となり雨や日差しから作業者を守るという観点からは、空間的な防御範囲が狭いという問題がある。日除け器具（遮光部を支持するアーム）の設置場所が作業者に近すぎて、作業効率が低下するという事情もある。
【０００８】
そこでこの発明は、突然の降雨に対しても活線作業の作業効率を損なうことなく、空間的に広い防御範囲で作業者の安全性を確保し得る作業用防雨具および作業用防雨具の取付方法を提供することを目的とする。
【課題を解決するための手段】
【０００９】
上記課題を解決するために、請求項１の発明は、活線作業が行われている作業部位を雨から防ぐための作業用防雨具であって、作業部位の上方に配置されたグランドワイヤに第１固定手段を介して取り付けられる棒形状の本体部と、前記本体部に取り付けられ、先端が斜め下方に延びる複数本の棒形状の骨組部材と、前記複数本の骨組部材および前記本体部の上面に接して張られ、第２固定手段を介して取り付けられるシート部と、を備えることを特徴とする。
【００１０】
請求項２の発明は、請求項１に記載の作業用防雨具において、前記第１固定手段は、前記本体部の両端部にそれぞれ一体形成されたバインド用突起部と、バインドと、を備え、前記バインド用突起部に前記バインドの巻き始め部分を引っ掛けた後、前記バインドのらせん部分を前記グランドワイヤに巻き付けることで、前記グランドワイヤに前記本体部を取り付けることを特徴とする。
【００１１】
請求項３の発明は、請求項１または請求項２に記載の作業用防雨具において、前記第２固定手段は、前記複数本の骨組部材または前記本体部の上面にそれぞれ一体形成されたシート用突起部と、ピンと、を備え、前記シート用突起部に、前記シート部の予め開けられている孔を嵌め込んだ後、前記シート用突起部の予め開けられているピン孔に前記ピンを差し込むことで、前記シート部を張ることを特徴とする。
【００１２】
請求項４の発明は、請求項１乃至請求項３の何れか１項に記載の作業用防雨具において、前記本体部は、側周面に前記骨組部材の取付側の先端部を嵌合させる嵌合突起部を備え、前記骨組部材の取付側の先端部を前記嵌合突起部に嵌合させることで、前記本体部に前記骨組部材を取り付けることを特徴とする。
【００１３】
請求項５の発明は、請求項１乃至請求項３の何れか１項に記載の作業用防雨具において、前記骨組部材は、連結部材を介して前記本体部から両翼に延びる２本の骨組部材が一体成形され、前記本体部は、上周面に、前記骨組部材の連結部材の形状に合致した切り欠き部を備え、前記本体部の切り欠き部に前記骨組部材の連結部材を嵌め込んだ後、ボルトで固定することで、前記本体部に前記骨組部材を取り付けることを特徴とする。
【００１４】
請求項６の発明は、請求項４または請求項５に記載の作業用防雨具において、前記骨組部材の取付側の先端部近傍、或いは、前記骨組部材の連結部材近傍に、該骨組部材の傾斜角度を調整する傾斜角度可変機構を備えることを特徴とする。
【００１５】
請求項７の発明は、請求項１乃至請求項６の何れか１項に記載の作業用防雨具において、前記骨組部材は、下面側に前記作業部位を照らす光源を備えることを特徴とする。
【００１６】
請求項８の発明は、請求項１乃至請求項７の何れか１項に記載の作業用防雨具において、前記シート部は、透光性素材または遮光性素材で形成されることを特徴とする。
【００１７】
請求項９の発明は、作業部位の上方に配置されたグランドワイヤに第１固定手段を介して取り付けられる棒形状の本体部と、前記本体部に取り付けられ、先端が斜め下方に延びる複数本の棒形状の骨組部材と、前記複数本の骨組部材および前記本体部の上面に接して張られ、第２固定手段を介して取り付けられるシート部と、を備える作業用防雨具の取付方法であって、前記本体部の両端部にそれぞれ一体形成されたバインド用突起部に、バインドの巻き始め部分を引っ掛けた後、バインドのらせん部分を前記グランドワイヤに巻き付けて、前記グランドワイヤに前記本体部を取り付ける第１固定工程と、前記本体部の側周面の嵌合突起部に、前記骨組部材の取付側の先端部を嵌合させて、前記本体部に前記骨組部材を取り付ける骨組部材取付工程と、前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程と、を備えることを特徴とする。
【００１８】
請求項１０の発明は、作業部位の上方に配置されたグランドワイヤに第１固定手段を介して取り付けられる棒形状の本体部と、前記本体部に取り付けられ、先端が斜め下方に延びる複数本の棒形状の骨組部材と、前記複数本の骨組部材および前記本体部の上面に接して張られ、第２固定手段を介して取り付けられるシート部と、を備える作業用防雨具の取付方法であって、前記本体部の両端部にそれぞれ一体形成されたバインド用突起部に、バインドの巻き始め部分を引っ掛けた後、該バインド用突起部にバインドのらせん部分を前記グランドワイヤに巻き付けて、前記グランドワイヤに前記本体部を取り付ける第１固定工程と、連結部材を介して前記本体部から両翼に延びる２本の骨組部材を一体成形した連結骨組部材を、前記本体部の上周面の切り欠き部に嵌め込んだ後、ボルトで固定することで、前記本体部に前記骨組部材を取り付ける骨組部材取付工程と、前記複数本の骨組部材または前記本体部の上面にそれぞれ一体形成されたシート用突起部に、前記シート部の予め開けられている孔を嵌め込んだ後、前記シート用突起部に予め開けられているピン孔にピンを差し込むことで、前記シート部を張る第２固定工程と、を備えることを特徴とする。
【発明の効果】
【００１９】
請求項１の発明によれば、グランドワイヤに本体部を取り付け、本体部に骨組部材を取り付け、複数本の骨組部材および本体部の上面に接してシート部を張る構成としたので、従来、降雨時には作業不可とされていた間接活線および直接活線作業が可能となり、雨による作業効率低下を低減できる。また、突然の降雨に対しても活線作業の作業効率を損なうことなく、空間的に広い防御範囲で作業者の安全性を確保することができる。また、降雨による作業中断がなくなるため，事前に計画していた停電時間を守ることができると共に、作業計画を着実に遂行することができる。
【００２０】
請求項２の発明によれば、バインド用突起部にバインドの巻き始め部分を引っ掛けた後、バインドのらせん部分をグランドワイヤに巻き付けることで、グランドワイヤに本体部を取り付けるので、比較的簡便な取り付け作業で作業用防雨具を取り付けることができ、風等による作業用防雨具（本体部）のズレや回転を防止することができる。また、天候が不安定で強風（突風）等の気象条件下でも、さらに手巻きバインドにより本体部の固定を補強するようにすれば、作業用防雨具（本体部）をさらに堅固に固定することができる。
【００２１】
請求項３の発明によれば、シート用突起部にシート部の予め開けられている孔を嵌め込んだ後、シート用突起部のピン孔にピンを差し込むことで、シート部を張るので、シート部の取付構造がシンプルであることから、比較的簡便な取り付け作業で作業用防雨具を設置することができる。
【００２２】
請求項４の発明によれば、骨組部材の取付側の先端部を本体部の嵌合突起部に嵌合させることで、本体部に骨組部材を取り付けるので、骨組部材の取付構造がシンプルであることから、比較的簡便な取り付け作業で作業用防雨具を設置することができる。
【００２３】
請求項５の発明によれば、連結部材を介して本体部から両翼に延びる２本の骨組部材を一体成形し、本体部の切り欠き部に骨組部材の連結部材を嵌め込んだ後、ボルトで固定して本体部に骨組部材を取り付けるので、骨組部材の取付構造がよりシンプルであることから、比較的簡便な取り付け作業で作業用防雨具を設置することができる。
【００２４】
請求項６の発明によれば、骨組部材の取付側の先端部近傍、或いは、骨組部材の連結部材近傍に、該骨組部材の傾斜角度を調整する傾斜角度可変機構を備えるので、風速や風の向きなどに応じて、骨組部材の傾斜角度を適正に調整することにより、作業用防雨具のズレや回転を防ぐことができ、強風や降雨に対して活線作業の作業効率を損なうことなく、作業者の安全性を確保することができる。
【００２５】
請求項７の発明によれば、骨組部材の下面側に作業部位を照らす光源を備えるので、配電線工事等の夜間作業において作業者の視界を確保できる。また、光源が高い位置に設置されることから、自然光に近い角度の照明が可能となり、作業者の視界を良好な状態で確保することができ、作業事故を防止することができると共に、作業効率を向上させることができる。
【００２６】
請求項８の発明によれば、シート部を透光性素材または遮光性素材で形成するので、例えば、降雨時の作業では透光性シートを使用し、炎天下の作業では遮光性シートを使用するなどして、適正に使い分けることにより、作業者の作業環境を良好な状態で確保することができ、作業事故を防止することができると共に、作業効率を向上させることができる。
【００２７】
請求項９の発明によれば、第１固定工程で、本体部の両端部にそれぞれ一体形成されたバインド用突起部に、バインドの巻き始め部分を引っ掛けた後、バインドのらせん部分をグランドワイヤに巻き付けて、グランドワイヤに本体部を取り付け、骨組部材取付工程で、本体部の側周面の嵌合突起部に骨組部材の取付側の先端部を嵌合させて、本体部に骨組部材を取り付け、第２固定工程で、複数本の骨組部材または本体部の上面にそれぞれ一体形成されたシート用突起部に、シート部の予め開けられている孔を嵌め込んだ後、シート用突起部のピン孔にピンを差し込むことで、シート部を張るので、比較的簡便な取り付け作業で作業用防雨具を設置することができる。
【００２８】
請求項１０の発明によれば、第１固定工程で、本体部の両端部にそれぞれ一体形成されたバインド用突起部に、バインドの巻き始め部分を引っ掛けた後、該バインド用突起部にバインドのらせん部分をグランドワイヤに巻き付けて、グランドワイヤに本体部を取り付け、骨組部材取付工程で、連結部材を介して本体部から両翼に延びる２本の骨組部材を一体成形した連結骨組部材を、本体部の上周面の切り欠き部に嵌め込んだ後、ボルトで固定することで、本体部に骨組部材を取り付け、第２固定工程で、複数本の骨組部材または本体部の上面にそれぞれ一体形成されたシート用突起部に、シート部の予め開けられている孔を嵌め込んだ後、シート用突起部のピン孔にピンを差し込むことで、シート部を張るので、比較的簡便な取り付け作業で作業用防雨具を設置することができる。
【図面の簡単な説明】
【００２９】
【図１】この発明の実施の形態１に係る作業用防雨具の外観を示す、斜め上方からの斜視図である。
【図２】バインドを用いたグランドワイヤへの本体部の取付を説明する説明図である。
【図３】本体部への骨組部材の取付を説明する説明図であり、図３（ａ）は本体部の嵌合突起部の斜視図、図３（ｂ）は骨組部材の取付側の先端部の斜視図である。
【図４】骨組部材または本体部の上面へのシート部の貼付を説明する説明図である。
【図５】実施の形態１の作業用防雨具を設置したときの活線作業の様子を例示する説明図である。
【図６】この発明の実施の形態２に係る作業用防雨具の外観を示す、斜め上方からの斜視図である。
【図７】骨組部材の傾斜角度を調整する傾斜角度可変機構を例示する説明図である。
【発明を実施するための形態】
【００３０】
以下、この発明を図示の実施の形態に基づいて説明する。
【００３１】
〔実施の形態１〕
図１は、この発明の実施の形態１に係る作業用防雨具１の斜め上方からの斜視図である。この作業用防雨具１は、活線作業が行われている作業部位を雨から防ぐための作業用防雨具であって、作業部位の上方に配置されたグランドワイヤ７１に第１固定手段（２１ａ〜２１ｄ，２２ａ〜２２ｄ，６１Ａ，６１Ｂ）を介して取り付けられる棒形状の本体部２と、本体部２に取り付けられ、先端が斜め下方に延びる複数本の棒形状の骨組部材３Ａ〜３Ｆと、複数本の骨組部材３Ａ〜３Ｆおよび本体部２の上面に接して張られ、第２固定手段（３１）を介して取り付けられるシート部５と、を備えている。
【００３２】
先ず、本体部２は、十分な強度、絶縁性を備えた材料で形成されている。例えば、絶縁性樹脂、カーボングラファイト、カーボンファイバー、グラスファイバー、各種の繊維強化プラスチック等からなる板状部材、或いは、これら各種材料部材を合成した板状部材で具現される。なお、図１では、本体部２の外観形状を、断面形状が略円形の棒状部材としているが、これに限定されることなく断面形状が略多角形の棒状部材としても良い。
【００３３】
本体部２の下周面には、グランドワイヤ７１を挟み込むための凹状の切り欠き部が形成されている。また、本体部２のグランドワイヤ７１延伸方向の両端部には、それぞれバインド用突起部（第１固定手段）２１ａ〜２１ｄおよび２２ａ〜２２ｄが本体部２に一体形成されている。
【００３４】
また、本体部２の側周面には、骨組部材３Ａ〜３Ｆの取付側の先端部を嵌合させるための嵌合突起部２３Ａ〜２３Ｆ（図１では２３Ａ，２３Ｃ，２３Ｅを図示）を備えている。この嵌合突起部２３Ａ〜２３Ｆについては、本体部２への骨組部材３Ａ〜３Ｆの取付の説明（図３参照）で併せて説明する。さらに、本体部２の上周面には、シート部５を固定するためのシート用突起部を備えている。このシート用突起部については、骨組部材３Ａ〜３Ｆの上面に備えるシート用突起部３１と同等であり、骨組部材３Ａ〜３Ｆの上面へのシート部５の貼付の説明（図４参照）で併せて説明する。
【００３５】
次に、図２を参照して、バインド（第１固定手段）６１Ｂ，６２Ｂを用いたグランドワイヤ７１への本体部２の取付について説明ずる。バインドは、電線等に巻き付けることで対象物を電線等に固定するものである。この実施の形態１では、バインドによる本体部２のグランドワイヤ７１への固定により、風等による作業用防雨具１（本体部２）のズレや回転を防止する。
【００３６】
バインドには、予め形状が固定されている（太めの）バインドと、固定されていない（細めの）手巻きバインドとがある。一般に、形状固定の太めのバインドは張力のかかっている電線等に巻き付けて固定する場合に使用され、形状非固定の細めの手巻きバインドは張力のかかっていいない電線等に巻き付けて固定する場合に使用される。
【００３７】
図２（ａ）に示すように、本体部２の上側のバインド用突起部（２１ａ，２１ｂおよび）２２ａ，２２ｂにバインドの巻き始め部分を引っ掛けて、らせん部分をグランドワイヤ７１に巻き付けていくバインド（６１Ａおよび）６１Ｂには、形状固定の太めのバインドを使用する。なお、図２（ａ）では、バインド用突起部２２ａを廻ってグランドワイヤ７１に巻き付けていくらせん部分の巻き付け方向と、バインド用突起部２２ｂを廻ってグランドワイヤ７１に巻き付けていくらせん部分の巻き付け方向とが互いに逆になっている。バインド（６１Ａおよび）６１Ｂによる本体部２のグランドワイヤ７１への固定で十分な場合は、この状態でグランドワイヤ７１への本体部２の取付を完了する。
【００３８】
また、天候が不安定で強風（突風）等により、作業用防雨具１（本体部２）をさらに堅固に固定する必要がある状況下では、バインド（６１Ａおよび）６１Ｂにより本体部２を固定した後、図２（ｂ）に示すように、さらに手巻きバインド（第１固定手段）（６２Ａおよび）６２Ｂにより本体部２の固定を補強する。すなわち、本体部２の下側のバインド用突起部（２１ｃ，２１ｄおよび）２２ｃ，２２ｄに手巻きバインド（６２Ａおよび）６２Ｂの巻き始め部分を引っ掛けて、らせん部分をグランドワイヤ７１に巻き付けていく。なお、図２（ｂ）では、バインド６１Ｂの巻き付け方向は互いに同一方向で、手巻きバインド６２Ｂの巻き付け方向は互いに逆方向としている。バインド６１Ｂおよび手巻きバインド６２Ｂの巻き付け方向を共に逆方向としても良い。
【００３９】
次に、複数本の骨組部材３Ａ〜３Ｆは、本体部２と同様に、十分な強度、絶縁性を備えた材料で形成されている。図３を参照して本体部２への骨組部材３Ａ〜３Ｆの取付について説明する。ここで、図３（ａ）は本体部２の嵌合突起部２３（２３Ａ〜２３Ｆ）の斜視図であり、図３（ｂ）は骨組部材３（３Ａ〜３Ｆ）の取付側の先端部の斜視図である。
【００４０】
まず図３（ａ）において、本体部２は、側周面に骨組部材３の取付側の先端部を嵌合させる嵌合突起部２３を備えている。嵌合突起部２３は、上面が開口され円筒状に形成されている。嵌合突起部２３の上面には、骨組部材３の先端部の軸部３２ｃが嵌合する軸穴２３ａが開口されている。また、嵌合突起部２３には、骨組部材３の先端部の一対のピン３２ａ，３２ｂを回動することにより係合する一対のＴ字状の溝２３ｂが形成されている。
【００４１】
他方、図３（ｂ）において、骨組部材３の先端部は、軸部３２ｃと、一対のピン３２ａ，３２ｂと、突起３２ｄと、を備えている。軸部３２ｃは、骨組部材３の軸方向に突出している。一対のピン３２ａ，３２ｂは、相反する向きに軸部３２ｃの外周から軸方向に直交する方向に突出している。突起３２ｄは、軸部３２ｃの先端面から突出するように、骨組部材３の先端部に内蔵された圧縮コイルばね（不図示）によって付勢されている。
【００４２】
次に、骨組部材３Ａ〜３Ｆの上周面には、シート部５を固定するためのシート用突起部（第２固定手段）３１を備えている。
【００４３】
ここで、シート部５は、一定の強度、弾性、絶縁性を備えた材料で形成されている。例えば、透光性を持つビニールシートで具現される。なお、作業用防雨具１を日除け具として使用する場合には、シート部５を遮光性を持つ遮光シートで構成しても良い。また、例えば、降雨時の作業では透光性のビニールシートを使用し、炎天下の作業では遮光シートを使用するなどして、適正に使い分けることにより、作業者の作業環境を良好な状態で確保することができ、作業事故を防止することができると共に、作業効率を向上させることができる。
【００４４】
図４を参照して、骨組部材３Ａ〜３Ｆの上面へのシート部５の貼付について説明する。ここで、シート部５には、当該シート部５を骨組部材３（３Ａ〜３Ｆ）および本体部２の上面に張るために、骨組部材３のシート用突起部３１に嵌め込むための孔が予め開けられている。なお、孔の周囲には、破損防止のために各種の繊維強化プラスチック等によるリング５１が形成されている。
【００４５】
また、骨組部材３の個々のシート用突起部（第２固定手段）３１には、ピン（第２固定手段）３１ｂが付属されており、落下防止のため、シート用突起部３１の上面の取付部３１ｃとチェーン３１ｄを介して連結されている。シート用突起部３１に、シート部５の孔（リング５１）を嵌め込んだ後、シート用突起部３１の予め開けられているピン孔３１ａにピン３１ｂを差し込むことで、骨組部材３（３Ａ〜３Ｆ）および本体部２の上面にシート部５が張られ、固定される。
【００４６】
次に、この実施の形態１の作業用防雨具１の設置態様について、図５を参照して説明する。図５は、作業用防雨具１を設置したときの活線作業の様子を例示するもので、下から上方を見上げた斜視図である。図中、７１はグランドワイヤ、７２，７３，７４は高圧線、７５は電柱、７６はトランス、８１は共用操作棒である。
【００４７】
また、図５に例示した設置態様では、作業用防雨具１のグランドワイヤ７１への固定をさらに補強している。すなわち、活線作業を行う作業部位の近傍にある電柱７５に、係止部６５ａ，６５ｂを備えた固定バンド６３を巻き付け、固定バンド６３の係止部６５ａ，６５ｂと、最近傍の骨組部材３Ａ，３Ｂの先端部に設置されている係止部３５Ａ，３５Ｂとの間を、両端にフックが取り付けられているワイヤ６６Ａ，６６Ｂで連結した構成である。
【００４８】
このような作業用防雨具１の設置態様において、作業用防雨具１の取付方法は次のようにして行われる。
（１）第１固定工程；先ず、本体部２をグランドワイヤ７１に沿わせる。そして、本体部２の両端部にそれぞれ一体形成されたバインド用突起部２１ａ，２１ｂおよび２２ａ，２２ｂに、バインド６１Ａ，６１Ｂの巻き始め部分を引っ掛けた後、バインド６１Ａ，６１Ｂのらせん部分をグランドワイヤ７１に巻き付けて、グランドワイヤ７１に本体部２を取り付ける。なお、作業用防雨具１（本体部２）をさらに堅固に固定する必要がある状況下では、さらに手巻きバインド６２Ａおよび６２Ｂにより本体部２の固定を補強する。すなわち、本体部２の下側のバインド用突起部２１ｃ，２１ｄおよび２２ｃ，２２ｄに手巻きバインド６２Ａおよび６２Ｂの巻き始め部分を引っ掛けて、らせん部分をグランドワイヤ７１に巻き付けていく。
（２）骨組部材取付工程；本体部２の側周面の嵌合突起部２３に、骨組部材３Ａ〜３Ｆの取付側の先端部を嵌合させて、本体部２に骨組部材３Ａ〜３Ｆを取り付ける。
（３）第２固定工程；骨組部材３Ａ〜３Ｆまたは本体部２の上面にそれぞれ一体形成されたシート用突起部３１に、シート部５の予め開けられている孔（リング５１）を嵌め込んだ後、シート用突起部３１に予め開けられているピン孔３１ａにピン３１ｂを差し込むことで、シート部５を張る。
（４）第３固定工程；作業用防雨具１（本体部２）をさらに堅固に固定する必要がある状況下では、電柱７５に係止部６５ａ，６５ｂを備えた固定バンド６３を巻き付け、固定バンド６３の係止部６５ａ，６５ｂと、最近傍の骨組部材３Ａ，３Ｂの先端部に設置されている係止部３５Ａ，３５Ｂとの間を、両端にフックが取り付けられているワイヤ６６Ａ，６６Ｂで連結する。
【００４９】
以上説明したように、この実施の形態１では、グランドワイヤ７１に本体部２を取り付け、本体部２に骨組部材３Ａ〜３Ｆを取り付け、複数本の骨組部材３Ａ〜３Ｆおよび本体２の上面に接してシート部５を張る構成としたので、従来、降雨時には作業不可とされていた間接活線および直接活線作業が可能となり、雨による作業効率低下を低減できる。また、突然の降雨に対しても活線作業の作業効率を損なうことなく、空間的に広い防御範囲で作業者の安全性を確保することができる。また、降雨による作業中断がなくなるため，事前に計画していた停電時間を守ることができると共に、作業計画を着実に遂行することができる。
【００５０】
また、この実施の形態１では、バインド用突起部２１ａ，２１ｂ，２２ａ，２２ｂにバインド６１Ａ，６１Ｂの巻き始め部分を引っ掛けた後、バインド６１Ａ，６１Ｂのらせん部分をグランドワイヤ７１に巻き付けることで、グランドワイヤ７１に本体部２を取り付けるので、比較的簡便な取り付け作業で作業用防雨具を取り付けることができ、風等による作業用防雨具（本体部）のズレや回転を防止することができる。また、天候が不安定で強風（突風）等の気象条件下でも、さらに手巻きバインド６２Ａ，６２Ｂにより本体部の固定を補強するようにすれば、作業用防雨具１（本体部２）をさらに堅固に固定することができる。
【００５１】
また、この実施の形態１では、シート用突起部３１にシート部５の予め開けられている孔（５１）を嵌め込んだ後、シート用突起部３１のピン孔３１ａにピン３１ｂを差し込むことで、シート部５を張るので、シート部５の取付構造がシンプルであることから、比較的簡便な取り付け作業で作業用防雨具１を設置することができる。
【００５２】
また、この実施の形態１では、骨組部材３Ａ〜３Ｆの取付側の先端部を本体部２の嵌合突起部２３に嵌合させることで、本体部２に骨組部材３Ａ〜３Ｆを取り付けるので、骨組部材３Ａ〜３Ｆの取付構造がシンプルであることから、比較的簡便な取り付け作業で作業用防雨具１を設置することができる。
【００５３】
また、この実施の形態１では、第１固定工程で、本体部２の両端部にそれぞれ一体形成されたバインド用突起部２１ａ，２１ｂ，２２ａ，２２ｂに、バインド６１Ａ，６１Ｂの巻き始め部分を引っ掛けた後、バインド６１Ａ，６１Ｂのらせん部分をグランドワイヤ７１に巻き付けて、グランドワイヤ７１に本体部２を取り付け、骨組部材取付工程で、本体部２の側周面の嵌合突起部２３に骨組部材３Ａ〜３Ｆの取付側の先端部を嵌合させて、本体部２に骨組部材３Ａ〜３Ｆを取り付け、第２固定工程で、複数本の骨組部材３Ａ〜３Ｆまたは本体部２の上面にそれぞれ一体形成されたシート用突起部３１に、シート部５の予め開けられている孔（５１）を嵌め込んだ後、シート用突起部３１のピン孔３１ａにピン３１ｂを差し込むことで、シート部５を張るので、比較的簡便な取り付け作業で作業用防雨具１を設置することができる。
【００５４】
〔実施の形態２〕
次に、図６を参照して、この発明の実施の形態２に係る作業用防雨具１Ｂについて説明する。図６は、実施の形態２の作業用防雨具１Ｂを斜め上方から見た斜視図である。この作業用防雨具１Ｂは、作業部位の上方に配置されたグランドワイヤ７１に第１固定手段（２１ａ〜２１ｄ，２２ａ〜２２ｄ，６１Ａ，６１Ｂ）を介して取り付けられる棒形状の本体部２Ｂと、本体部２Ｂに取り付けられ、先端が斜め下方に延びる複数本の棒形状の骨組部材４Ａ〜４Ｃと、複数本の骨組部材４Ａ〜４Ｃおよび本体部２Ｂの上面に接して張られ、第２固定手段（３１）を介して取り付けられるシート部５と、を備えている。
【００５５】
この実施の形態２の作業用防雨具１Ｂの特徴は、骨組部材４Ａ〜４Ｃを、連結部材４１を介して本体部２Ｂから両翼に延びる２本の骨組部材が一体成形されている点にあり、これに伴って、本体部２Ｂへの骨組部材４Ａ〜４Ｃの取付をボルト４１ａで固定することにより行っている点にある。これら特徴点以外については、上記実施の形態１と同様であり、詳細な説明を省略する。
【００５６】
複数本の骨組部材４Ａ〜４Ｃは、実施の形態１と同様に、十分な強度、絶縁性を備えた材料で形成されている。本体部２Ｂから両翼に延びる２本の骨組部材を連結する連結部材４１が円弧形状となっているのは、本体部２Ｂの外周形状に合わせた形状としているためであり、本体部２Ｂの外周形状が多角形状である場合には、連結部材４１の形状も多角形状となる。
【００５７】
なお、本体部２Ｂは、上周面に、骨組部材４Ａ〜４Ｃの連結部材４１の形状に合致した切り欠き部を備えており、本体部２Ｂの切り欠き部に骨組部材４Ａ〜４Ｃの連結部材４１を嵌め込んだ後、ボルト４１ａで締め付けて固定することで、本体部２Ｂに骨組部材４Ａ〜４Ｃが取り付けられる。
【００５８】
したがって、作業用防雨具１Ｂの取付方法は、上記実施の形態１における作業用防雨具１の取付方法の骨組部材取付工程のみが、次のように置き換えられる。
（２’）骨組部材取付工程；連結部材４１を介して本体部２Ｂから両翼に延びる２本の骨組部材を一体成形した連結骨組部材４Ａ〜４Ｃを、本体部２Ｂの上周面の切り欠き部に嵌め込んだ後、ボルトで固定することで、２Ｂ本体部に骨組部材４Ａ〜４Ｃを取り付ける。
【００５９】
以上のように、この実施の形態２では、連結部材４１を介して本体部２Ｂから両翼に延びる２本の骨組部材を一体成形し、本体部２Ｂの切り欠き部に骨組部材４Ａ〜４Ｃの連結部材４１を嵌め込んだ後、ボルト４１ａで固定して本体部２Ｂに骨組部材４Ａ〜４Ｃを取り付けるので、骨組部材４Ａ〜４Ｃの取付構造がよりシンプルであることから、比較的簡便な取り付け作業で作業用防雨具を設置することができる。
【００６０】
〔変形例〕
上記実施の形態１の骨組部材４Ａ〜４Ｆまたは実施の形態２の骨組部材４Ａ〜４Ｃでは、骨組部材の先端が斜め下方に延びる傾斜角度は、本体部２の嵌合突起部２３の位置および取付角度、或いは形成された骨組部材の外観形状で決まり、固定であった。
【００６１】
この変形例では、骨組部材４Ａ〜４Ｆの取付側の先端部近傍、或いは、骨組部材４Ａ〜４Ｃの連結部材４１近傍に、該骨組部材の傾斜角度を調整する傾斜角度可変機構を備えている。図７は、上記実施の形態２の骨組部材４Ａ〜４Ｃの変形例を示し、骨組部材４’の傾斜角度を調整する傾斜角度可変機構４２ａ〜４２ｃを例示している。
【００６２】
同図において、傾斜角度可変機構は、調整ネジ４２ａ，４２ｂおよび回転軸４２ｃを備え、調整ネジ４２ａ，４２ｂを緩めることで骨組部材４’の翼部４０’Ｌの傾斜角度を任意に設定し、設定角度の状態で調整ネジ４２ａ，４２ｂを締め付けることで、骨組部材４’の傾斜角度を調整するものである。
【００６３】
例えば、風速や風の向きなどに応じて、骨組部材４’の傾斜角度を適正に調整することにより、作業用防雨具１，１Ｂのズレや回転を防ぐことができ、強風や降雨に対して活線作業の作業効率を損なうことなく、作業者の安全性を確保することができる。
【００６４】
また、図７に例示した変形例では、骨組部材４’の下面側に、作業部位を照らす照明部（光源）４５Ｌを備えている。また図中、４６は照明部（光源）４５Ｌを店頭／消灯するスイッチである。
【００６５】
これにより、配電線工事等の夜間作業において作業者の視界を確保できる。また、光源が高い位置に設置されることから、自然光に近い角度の照明が可能となり、作業者の視界を良好な状態で確保することができ、作業事故を防止することができると共に、作業効率を向上させることができる。
【００６６】
以上、この発明の実施の形態について説明したが、具体的な構成は、上記の実施の形態および変形例に限られるものではなく、この発明の要旨を逸脱しない範囲の設計の変更等があっても、この発明に含まれる。
【符号の説明】
【００６７】
１，１Ｂ              作業用防雨具
２，２Ｂ              本体部
３，３Ａ〜３Ｆ，４Ａ〜４Ｃ，４’  骨組部材
５                    シート部
２１ａ〜２１ｄ，２２ａ〜２２ｄ  バインド用突起部（第１固定手段）
２３，２３Ａ〜２３Ｆ  嵌合突起部
２３ａ                軸穴
２３ｂ                溝
３１                  シート用突起部（第２固定手段）
３１ａ                ピン孔
３１ｂ                ピン（第２固定手段）
３１ｄ                チェーン
３２ａ，３２ｂ        ピン
３２ｃ                軸部
３２ｄ                突起
４０’Ｌ              翼部
４１                  連結部材
４１ａ                ボルト
４２ａ，４２ｂ        調整ネジ（傾斜角度可変機構）
４２ｃ                回転軸（傾斜角度可変機構）
６１Ａ，６２Ａ，６１Ｂ，６２Ｂ        バインド（第１固定手段）
７１                  グランドワイヤ
７２，７３，７４      高圧線
７５                  電柱
７６                  トランス
８１                  共用操作棒
【図１】
0006533976.tif 000002
【図２】
0006533976.tif 000003
【図３】
0006533976.tif 000004
【図４】
0006533976.tif 000005
【図５】
0006533976.tif 000006
【図６】
0006533976.tif 000007
【図７】
0006533976.tif 000008